(57)【要約】  本発明は、アップリンク共有チャネルのパイロット伝送方法及び関連装置を開示し、周波数分割多重モードで同一リソース領域内で各短データ送信のパイロット系列を櫛形構成で送信する場合のどのようにパイロットの送信電力を決定するかとの従来の問題点を解決する。前記方法は、端末は、アップリンク共有チャネルで運ばれるデータの送信電力を送信するステップと、端末が前記アップリンク共有チャネルで運ばれるデータの送信電力及び前記端末のパイロット電力改善因子に基づき、前記アップリンク共有チャネルのパイロットの送信電力を決定するステップと、端末が前記パイロットの送信電力に従ってアップリンク共有チャネルのパイロットを送信するステップとを備える。ここで、パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、倍数は１より大きいか等しく、パイロットは、櫛形構成でパイロットに占有された時間領域シンボルにおいて伝送される。【選択図】図４
2019515602.tif 000002
【特許請求の範囲】
【請求項１】
端末は、アップリンク共有チャネルで運ばれるデータの送信電力を送信するステップと、
前記端末は、前記アップリンク共有チャネルで運ばれるデータの送信電力及び前記端末のパイロット電力改善因子に基づき、前記アップリンク共有チャネルのパイロットの送信電力を決定するステップと、
前記端末は、前記パイロットの送信電力で前記アップリンク共有チャネルのパイロットを送信するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とするアップリンク共有チャネルのパイロット伝送方法。
【請求項２】
パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくないことを特徴とする請求項１に記載のアップリンク共有チャネルのパイロット伝送方法。
【請求項３】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項１に記載のアップリンク共有チャネルのパイロット伝送方法。
【請求項４】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応することを特徴とする請求項３に記載のアップリンク共有チャネルのパイロット伝送方法。
【請求項５】
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定することを特徴とする請求項３に記載のアップリンク共有チャネルのパイロット伝送方法。
【請求項６】
前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例することを特徴とする請求項３に記載のアップリンク共有チャネルのパイロット伝送方法。
【請求項７】
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項１ないし請求項６のいずれか１項に記載のアップリンク共有チャネルのパイロット伝送方法。
【請求項８】
前記アップリンク共有チャネルの伝送時間間隔（ＴＴＩ）は１ミリ秒より小さいことを特徴とする請求項１ないし請求項６のいずれか１項に記載のアップリンク共有チャネルのパイロット伝送方法。
【請求項９】
基地局は、端末がアップリンク共有チャネルで運ばれるデータを送信する際の送信電力を決定するステップと、
前記基地局は、前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とするアップリンク共有チャネルのパイロット伝送方法。
【請求項１０】
パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくないことを特徴とする請求項９に記載のアップリンク共有チャネルのパイロット伝送方法。
【請求項１１】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項９に記載のアップリンク共有チャネルのパイロット伝送方法。
【請求項１２】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応することを特徴とする請求項１１に記載のアップリンク共有チャネルのパイロット伝送方法。
【請求項１３】
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定することを特徴とする請求項１１に記載のアップリンク共有チャネルのパイロット伝送方法。
【請求項１４】
前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例することを特徴とする請求項１１に記載のアップリンク共有チャネルのパイロット伝送方法。
【請求項１５】
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項９ないし請求項１４のいずれか１項に記載のアップリンク共有チャネルのパイロット伝送方法。
【請求項１６】
前記アップリンク共有チャネルの伝送時間間隔（ＴＴＩ）は１ミリ秒より小さいことを特徴とする請求項９ないし請求項１４のいずれか１項に記載のアップリンク共有チャネルのパイロット伝送方法。
【請求項１７】
アップリンク共有チャネルで運ばれるデータの送信電力を送信する第１処理モジュールと、
前記アップリンク共有チャネルで運ばれるデータの送信電力及び前記端末のパイロット電力改善因子に基づき、前記アップリンク共有チャネルのパイロットの送信電力を決定する第２処理モジュールと、
前記パイロットの送信電力で前記アップリンク共有チャネルのパイロットを送信する送信モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とする端末。
【請求項１８】
パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくないことを特徴とする請求項１７に記載の端末。
【請求項１９】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項１７に記載の端末。
【請求項２０】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応することを特徴とする請求項１９に記載の端末。
【請求項２１】
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定することを特徴とする請求項１９に記載の端末。
【請求項２２】
前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例することを特徴とする請求項１９に記載の端末。
【請求項２３】
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項１７ないし請求項２２のいずれか１項に記載の端末。
【請求項２４】
前記アップリンク共有チャネルの伝送時間間隔（ＴＴＩ）は１ミリ秒より小さいことを特徴とする請求項１７ないし請求項２２のいずれか１項に記載の端末。
【請求項２５】
端末がアップリンク共有チャネルで運ばれるデータを送信する際の送信電力を決定する第１処理モジュールと、
前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定する第２処理モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とする基地局。
【請求項２６】
パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくないことを特徴とする請求項２５に記載の基地局。
【請求項２７】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項２５に記載の基地局。
【請求項２８】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応することを特徴とする請求項２７に記載の基地局。
【請求項２９】
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定することを特徴とする請求項２７に記載の基地局。
【請求項３０】
前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例することを特徴とする請求項２７に記載の基地局。
【請求項３１】
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項２５ないし請求項３０のいずれか１項に記載の基地局。
【請求項３２】
前記アップリンク共有チャネルの伝送時間間隔（ＴＴＩ）は１ミリ秒より小さいことを特徴とする請求項２５ないし請求項３０のいずれか１項に記載の基地局。
【発明の詳細な説明】
【技術分野】
【０００１】
本発明は通信技術分野に関し、特に、アップリンク共有チャネルのパイロット伝送方法及び関連装置に関する。
【背景技術】
【０００２】
（あ）  従来のＬＴＥフレーム構成（ＬＴＥ Ｒｅｌ-８/９/１０/１１/１２/１３）（ＬＴＥ Rel-８/９/１０/１１/１２/１３）
従来のＬＴＥ ＦＤＤシステムにフレーム構成タイプ１（Ｆｒａｍｅ Ｓｔｒｕｃｔｕｒｅ Ｔｙｐｅ １， ＦＳ１と略称）が利用される。システムにおいて、アップリンク及びダウンリンク伝送に異なるキャリア周波数が利用され、アップリンク及びダウンリンク伝送に同様なフレーム構成が利用される。各々キャリアにおいて、１つの１０ｍｓの無線フレームに１０個の１ｍｓサブフレームが含まれ、各々サブフレームを２つの０.５ｍｓのスロットに分割し、アップリンク及びダウンリンクデータ送信のＴＴＩは１ｍｓである。
【０００３】
従来のＬＴＥ ＴＤＤ（Ｔｉｍｅ Ｄｉｖｉｓｉｏｎ Ｄｕｐｌｅｘ，ＴＤＤ）システムにフレーム構成タイプ２（Ｆｒａｍｅ Ｓｔｒｕｃｔｕｒｅ Ｔｙｐｅ ２，ＦＳ２と略称）が利用される。ＴＤＤシステムにおいて、アップリンク及びダウンリンク伝送に同様な周波数上の異なるサブフレームまたは異なるスロットが利用される。図２はＦＳ２構成図である。ＦＳ２における各々１０ｍｓの無線フレームは２つの５ｍｓのハーフフレームより構成され、各々ハーフフレームに５個の１ｍｓのサブフレームが含まれる。ＦＳ２におけるサブフレームは、３種類があり、それぞれは、ダウンリンクサブフレーム、アップリンクサブフレーム及びスペシャルサブフレームである。各々 スペシャルサブフレームは、ダウンリンク伝送スロット（Ｄｏｗｎｌｉｎｋ Ｐｉｌｏｔ Ｔｉｍｅ Ｓｌｏｔ，ＤｗＰＴＳ）、ＧＰ（Ｇｕａｒｄ Ｐｅｒｉｏｄ）及びアップリンク伝送スロット（Ｕｐｌｉｎｋ Ｐｉｌｏｔ Ｔｉｍｅ Ｓｌｏｔ，ＵｐＰＴＳ）との３つの部分より構成される。ここで、ＤｗＰＴＳは、ダウンリンクパイロット、ダウンリンクトラフィックデータ及びダウンリンク制御シグナリングを伝送する。ＧＰは如何なる信号も伝送しない。ＵｐＰＴＳは、ランダムアクセス信号及びＳＲＳ（Ｓｏｕｎｄｉｎｇ Ｒｅｆｅｒｅｎｃｅ Ｓｙｍｂｏｌ）のみを伝送し、アップリンクサービスまたはアップリンク制御情報を伝送しない。各々ハーフフレームに少なくとも１つのダウンリンクサブフレーム及び少なくとも１つのアップリンクサブフレーム、及び多くて１つのスペシャルサブフレームが含まれる。ＦＳ２は７種ＵＬ/ＤＬサブフレーム構成を有し、表１に示す。
【０００４】
【表１】
2019515602.tif 000003
【０００５】
（い）  従来ＬＴＥシステムのＰＵＳＣＨのＤＭＲＳ設計
図３ａ及び図３ｂは、サブフレーム内のＬＴＥ物理上りリンク共有チャネル（ＰＵＳＣＨ）のデータおよびパイロット（すなわち、データを復調するためのリファレンスシンボル、または復調リファレンス信号（ＤＭＲＳ））を示す図である。図３ａに示すように、ノーマルＣＰ（Ｃｙｃｌｉｃ Ｐｒｅｆｉｘ，ＣＰ）の場合、パイロットは各サブフレームの各タイムスロットで第４のシンボルで送信され、データは第４のシンボル以外のシンボルで送信される。図３ｂに示すように、拡張ＣＰの場合、パイロットは各サブフレームの各タイムスロットで第３のシンボルで送信され、データは第３３のシンボル以外のシンボルで送信される。アップリンクパイロットは、ＰＵＳＣＨによってスケジューリングされた実際の帯域幅のサイズに従って生成されたＵＥ特有のパイロットである。ＤＭＲＳの送信電力は、データの送信電力と同じである。アップリンクマルチユーザ - マルチ入力マルチ出力（Ｍｕｔｌｉ Ｕｓｅｒ−Ｍｕｌｔｉｐｌｅ Ｉｎｐｕｔ Ｍｕｌｔｉｐｌｅ Ｏｕｔｐｕｔ，ＭＵ−ＭＩＭＯ）モードをサポートするために、パイロットの各列を使用して同じパイロットベースシーケンスを周期的にシフトさせて、同じリソースを共有する複数のＵＥのパイロットを直交的に送信することができる。パイロット情報を周期的にずらすことにより、受信機は、異なるＵＥのパイロット情報を区別することができる。
【０００６】
移動通信トラフィックの需要が変化するにつれて、トラフィックはますますリアルタイムであることが要求されている。遅延を短縮するための解決策の1つは、ＴＴＩの長さを短縮することである。
【０００７】
ＬＴＥシステムにおいて、従来のチャネル伝送は、サブフレームを単位として定義される。1msよりも短いＴＴＩでＰＵＳＣＨを送信すると、ＬＴＥシステムの1msサブフレーム用に設計されたＤＭＲＳ構造を多重化することができ、サブフレーム内の短データ伝送のＤＭＲＳを同じ時間位置で送信することができる。ここで、短データ伝送は、1msよりも短い時間でデータ伝送と定義される。しかしながら、各スケジューリング情報のスケジューリングされた帯域幅は、部分的にのみ重複することができる。同一シンボル内の異なる短データ送信のＤＭＲＳを区別するために、各スケジューリング情報のスケジューリングされた帯域幅は、部分的にのみ重複することができる。同一シンボル内の異なる短データ送信のＤＭＲＳを区別するために、櫛形構成で各短データを送信するためのパイロットシーケンスは、周波数分割多重モードで同じリソース領域内で、アップリンクデータを正しく送信して復調することができる。このように、複数のＵＥがＤＭＲＳリソースを共有することができるが、ＤＭＲＳの送信電力を決定するための明確な解決策が存在しない。
【発明の概要】
【発明が解決しようとする課題】
【０００８】
本発明の実施例に係るアップリンク共有チャネルのパイロット伝送方法及び関連装置は、周波数分割多重モードで同一リソース領域内で各短データ送信のパイロット系列を櫛形構成で送信する場合のどのようにパイロットの送信電力を決定する従来の課題を解決する。
【課題を解決するための手段】
【０００９】
本発明に係る実施例は以下のような技術案を提供する。
【００１０】
第１態様によりれば、本発明の実施例に係るアップリンク共有チャネルのパイロット伝送方法は、
端末は、アップリンク共有チャネルで運ばれるデータの送信電力を送信するステップと、
前記端末は、前記アップリンク共有チャネルで運ばれるデータの送信電力及び前記端末のパイロット電力改善因子に基づき、前記アップリンク共有チャネルのパイロットの送信電力を決定するステップと、
前記端末は、前記パイロットの送信電力で前記アップリンク共有チャネルのパイロットを送信するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【００１１】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００１２】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００１３】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００１４】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００１５】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００１６】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００１７】
可能の実施形態によれば、前記アップリンク共有チャネルの伝送時間間隔（ＴＴＩ）は１ミリ秒より小さい。
【００１８】
第２態様によれば、本発明の実施例に係るアップリンク共有チャネルのパイロット伝送方法は、
基地局は、端末がアップリンク共有チャネルで運ばれるデータを送信する際の送信電力を決定するステップと、
前記基地局は、前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【００１９】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００２０】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００２１】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００２２】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００２３】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００２４】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００２５】
可能の実施形態によれば、前記アップリンク共有チャネルの伝送時間間隔（ＴＴＩ）は１ミリ秒より小さい。
【００２６】
第３態様によれば、本発明の実施例に係る端末は、
アップリンク共有チャネルで運ばれるデータの送信電力を送信する第１処理モジュールと、
前記アップリンク共有チャネルで運ばれるデータの送信電力及び前記端末のパイロット電力改善因子に基づき、前記アップリンク共有チャネルのパイロットの送信電力を決定する第２処理モジュールと、
前記パイロットの送信電力で前記アップリンク共有チャネルのパイロットを送信する送信モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【００２７】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００２８】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００２９】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００３０】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００３１】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００３２】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００３３】
可能の実施形態によれば、前記アップリンク共有チャネルの伝送時間間隔（ＴＴＩ）は１ミリ秒より小さい。
【００３４】
第４態様によれば、本発明の実施例に係る基地局は、
端末がアップリンク共有チャネルで運ばれるデータを送信する際の送信電力を決定する第１処理モジュールと、
前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定する第２処理モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【００３５】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００３６】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００３７】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００３８】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００３９】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００４０】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００４１】
可能の実施形態によれば、前記アップリンク共有チャネルの伝送時間間隔（ＴＴＩ）は１ミリ秒より小さい。
【００４２】
第５態様によれば、本発明の実施例に係る端末は、プロセッサと、メモリと、送受信機とを備え、前記送受信機はプロセッサの制御によりデータを送受信し、メモリに所定のプログラムが格納され、プロセッサはメモリ内のプログラムを読み出し、前記プログラムに従って、
アップリンク共有チャネルで運ばれるデータの送信電力を送信し、
前記アップリンク共有チャネルで運ばれるデータの送信電力及び前記端末のパイロット電力改善因子に基づき、前記アップリンク共有チャネルのパイロットの送信電力を決定し、前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送され、
送受信機を介して、前記パイロットの送信電力で前記アップリンク共有チャネルのパイロットを送信する。
【００４３】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００４４】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００４５】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００４６】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００４７】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００４８】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００４９】
可能の実施形態によれば、前記アップリンク共有チャネルの伝送時間間隔（ＴＴＩ）は１ミリ秒より小さい。
【００５０】
第６態様によれば、本発明の実施例に係る基地局は、プロセッサと、メモリとを備え、前記メモリに所定のプログラムが格納され、プロセッサは、メモリ内のプログラムを読み出し、前記プログラムに従って、
端末がアップリンク共有チャネルで運ばれるデータを送信する際の送信電力を決定し、
前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定し、前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【００５１】
可能の実施形態によれば、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【００５２】
可能の実施形態によれば、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【００５３】
可能の実施形態によれば、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【００５４】
可能の実施形態によれば、前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【００５５】
可能の実施形態によれば、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【００５６】
可能の実施形態によれば、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【００５７】
可能の実施形態によれば、前記アップリンク共有チャネルの伝送時間間隔（ＴＴＩ）は１ミリ秒より小さい。
【発明の効果】
【００５８】
上述の技術案によれば、本発明に係る実施例において、端末は、アップリンク共有チャネルで運ばれるデータの送信電力及び前記端末のパイロット電力改善因子に基づき、アップリンク共有チャネルのパイロットの送信電力を決定し、ここで１つのリソースエレメント上の端末のパイロット電力改善因子アップリンク共有チャネルのパイロット送信電力の、１つのリソースエレメント上のアップリンク共有チャネルで運ばれるデータ送信電力に対する倍数を定義し、また、当該倍数は１より大きいか等しく。こうして、周波数分割多重モードで同一リソース領域内で各短データ送信のパイロット系列を櫛形構成で送信する場合のどのようにパイロットの送信電力を決定するのかに、解決案を提供し、パイロットの送信電力を向上させ、パイロットの伝送密度を低下させることにより、チャネル推定の精度を向上させることができる。
【図面の簡単な説明】
【００５９】
【図１】はＦＳ１の構成図である。
【図２】はＦＳ２の構成図である。
【図３ａ】はノーマルＣＰ場合の１個のサブフレームにおけるＰＵＳＣＨのデータ及びパイロットの構成図である。
【図３ｂ】は拡張ＣＰ場合の１個のサブフレームにおけるＰＵＳＣＨデータ及びパイロットの構成図である。
【図４】は本発明の実施例に係る端末側においてアップリンク共有チャネルのパイロットを伝送する方法のフローチャートである。
【図５】は本発明の実施例に係る基地局側においてアップリンク共有チャネルのパイロットを伝送する方法のフローチャートである。
【図６】は本発明の実施例に係る周波数領域マッピング間隔または周波数領域マッピング密度または櫛形構成同一の時間領域シンボルを多重化する端末数が２である場合の櫛形マッピング方を示す図である。
【図７】は本発明の実施例に係る周波数領域マッピング間隔または周波数領域マッピング密度または櫛形構成で同一の時間領域シンボルを多重化する端末数が３である場合の櫛形マッピング方を示す図である。
【図８】は本発明の実施例に係る周波数領域マッピング間隔または周波数領域マッピング密度または櫛形構成で同一の時間領域シンボルを多重化する端末数が４である場合の櫛形マッピング方を示す図である。
【図９】は本発明の実施例に係る周波数領域マッピング間隔または周波数領域マッピング密度または櫛形構成で同一の時間領域シンボルを多重化する端末数が６である場合の櫛形マッピング方を示す図である。
【図１０】は本発明の実施例に係る端末構成図である。
【図１１】は本発明の実施例に係る基地局構成図である。
【図１２】は本発明の実施例に係る他の端末構成図である。
【図１３】は本発明の実施例に係る他の基地局構成図である。
【発明を実施するための形態】
【００６０】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００６１】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００６２】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡの基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００６３】
本発明に係る実施例の目的、技術案及びメリットをより明確にするため以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００６４】
現在、短データ伝送、特に長さが０.５msより短い短データ伝送の場合、従来の１つのサブフレームの１列のパイロット位置のみにおいて、ＤＭＲＳ伝送を行うと、そのＤＭＲＳ時間領域密度は、１msデータ伝送より低減され、時間領域における補間の性能に影響を与え、また、2列で送信されるＤＭＲＳと比較して抗干渉性が低下し、短いデータ伝送のためのチャネル推定の性能が低下する可能性がある。
【００６５】
本発明者らは、ＤＭＲＳが櫛状構成で送信されるとき、短データ送信のＤＭＲＳが、単一キャリア周波数分割多元接続（Ｓｉｎｇｌｅ Ｃａｒｒｉｅｒ−Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）シンボル内の周波数リソースの一部のみで送信されることを確認したため、ＵＥのＤＭＲＳ ＳＣ−ＦＤＭＡシンボルの総送信電力がデータＳＣ−ＦＤＭＡシンボルの総送信電力を超えない限り、ＤＭＲＳの送信電力はある程度改善され、短データ伝送のためのチャネル推定の性能および抗干渉ロバスト性は向上される。よって、本発明は、ＤＭＲＳが櫛状構成で送信される技術をベースとして、ＤＭＲＳ電力改善解決策を提案し、それによりチャネル推定の性能を改善する。
【００６６】
本発明の実施例に係る櫛形構成とは、パイロットは、開始周波数領域位置、及び周波数領域マッピング間隔または周波数領域マッピング密度またはパイロット多重化因子で伝送される構成を指す。
【００６７】
本発明において、櫛形構成でＤＭＲＳを伝送する場合、１つのＳＣ−ＦＤＭＡシンボル上の一部のみのリソースエレメント（Ｒｅｓｏｕｒｃｅ Ｅｌｅｍｅｎｔ，ＲＥ）は、ＵＥのＤＭＲＳ伝送に用いられる。よって、ＵＥのＤＭＲＳ ＳＣ−ＦＤＭＡシンボルの総送信電力がデータＳＣ−ＦＤＭＡシンボルの総送信電力を超えない限り、ＤＭＲＳ ＲＥの電力を増加することができる。ＤＭＲＳ密度が低減されるため、ＤＭＲＳ ＲＥの電力を増加することは、チャネル推定の性能の改善に有利である。
【００６８】
本発明の実施例において、図４に示すように、端末側においてアップリンク共有チャネルのパイロットを伝送する方法の流れは以下のとおりである。
【００６９】
ステップ４０１において、端末は、アップリンク共有チャネルで運ばれるデータの送信電力を送信する。
【００７０】
本発明の実施例において、アップリンク共有チャネルの伝送時間間隔は１ミリ秒より小さい。
【００７１】
具体的に、アップリンク共有チャネルで運ばれるデータの送信電は、基地局より端末に通知されるか、基地局と端末がプロトコルで約定されたものであってもよい。
【００７２】
ステップ４０２において、端末は、アップリンク共有チャネルで運ばれるデータの送信電力以及端末のパイロット電力改善因子に基づき、該アップリンク共有チャネルのパイロットの送信電力を決定するパイロット電力改善因子は、１つのリソースエレメント上のアップリンク共有チャネルのパイロットの送信電力が１個のリソースエレメント上のアップリンク共有チャネルで運ばれるデータの送信電力に対する倍数を示し、該倍数は１より大きいか等しい。パイロットは、櫛形構成でパイロットに占有された時間領域シンボルにおいて伝送される。
【００７３】
実施中、パイロットに占有された時間領域シンボル内のパイロット伝送のためのリソースエレメント上のアップリンク共有チャネルのパイロットの送信電力の総和は、アップリンク共有チャネルのデータの送信電力より大きくない。
【００７４】
実施中、端末のパイロット電力改善因子の取得手段は多様であるが、以下のような手段があるが、これらに限られない。
【００７５】
［第１］端末のパイロット電力改善因子は、ネットワーク側から高位層シグナリングにより該端末のために設定されたものである。
【００７６】
具体的に、高位層シグナリングにより１個のパイロット電力改善因子を設定する。または、高位層シグナリングにより複数のパイロット電力改善因子を設定する。ここで、パイロット電力改善因子それぞれは、パイロットが櫛形構成で伝送される１つの周波数領域マッピング間隔または周波数領域マッピング密度または、櫛形構成で時間領域シンボルを多重化する端末数に対応する。
【００７７】
例えば、システムにおいて、K個のパイロット電力改善因子を事前に約定し、{n１,n２,…nk}として、log2Kビットの高位層シグナリングを介してK個のパイロット電力改善因子中の１つを端末に通知する。端末は、受信したパイロット電力改善因子により、アップリンク共有チャネルで運ばれるデータの１つのＲＥにおける送信電力に基づき、１個のＲＥにおける該アップリンク共有チャネルのパイロットの送信電力を算出すればよい。
ここで、事前に約定されたK個のパイロット電力改善因子中の１つの値は、電力向上しないことを示す。
【００７８】
［第２］端末のパイロット電力改善因子は、ネットワーク側と該端末がプロトコルで約定されるものである。
【００７９】
具体的な実施において、ネットワーク側と端末は、該プロトコルで１つのパイロット電力改善因子を約定する。該手段によれば、１つのパイロット電力改善因子を事前に定義し、即ち、どのような場合でも該１つのパイロット電力改善因子を用いる。
【００８０】
他の具体的な実施において、パイロットが櫛形構成で伝送される周波数領域マッピング間隔または周波数領域マッピング密度または櫛形構成で同一の時間領域シンボルを多重化する端末数のために１つのパイロット電力改善因子を約定する。
【００８１】
例えば、パイロットが櫛形構成で伝送される周波数領域マッピング間隔または周波数領域マッピング密度または櫛形構成で同一の時間領域シンボルを多重化する端末数が２である場合、パイロット電力改善因子をn１と事前に定義する。好ましくは、n１は２を超えない（線形電力が２倍に向上され、以下同様である）が、または３dBを超えない（dBにおける電力が３dB向上され、以下同様である）。パイロットが櫛形構成で伝送される周波数領域マッピング間隔または周波数領域マッピング密度または櫛形構成で同一の時間領域シンボルを多重化する端末数が３である場合、パイロット電力改善因子をn２として事前に定義する。好ましくは、n２は３を超えないか、または４.７７dBを超えない。パイロットが櫛形構成で伝送される周波数領域マッピング間隔または周波数領域マッピング密度または櫛形構成で同一の時間領域シンボルを多重化する端末数が４である場合、パイロット電力改善因子をn３として事前に定義する。好ましくは、n３は４を超えないか、または６dBを超えない。パイロットが櫛形構成で伝送される周波数領域マッピング間隔または周波数領域マッピング密度または櫛形構成で同一の時間領域シンボルを多重化する端末数が６である場合、パイロット電力改善因子を４として事前に定義する。好ましくは、n４は６を超えないか、または７.７８dBを超えない。
【００８２】
［第３］端末は、パイロットが櫛形構成で伝送される周波数領域マッピング間隔に基づきパイロット電力改善因子を決定する。
【００８３】
［第４］端末は、パイロットが櫛形構成で伝送される周波数領域マッピング密度に基づき、パイロット電力改善因子を決定する。
【００８４】
［第５］端末は、櫛形構成で同一の時間領域シンボルを多重化する端末数似基づき、パイロット電力改善因子を決定する。
【００８５】
例えば、端末がパイロットが櫛形構成で伝送される周波数領域マッピング間隔または周波数領域マッピング密度または櫛形構成で同一の時間領域シンボルを多重化する端末数を２として決定る場合、パイロット電力改善因子を２または３dBとして決定する。端末がパイロットが櫛形構成で伝送される周波数領域マッピング間隔または周波数領域マッピング密度または櫛形構成で同一の時間領域シンボルを多重化する端末数を３として決定する場合、パイロット電力改善因子を３または４.７７dBとして決定する。端末がパイロットが櫛形構成で伝送される周波数領域マッピング間隔または周波数領域マッピング密度または櫛形構成で同一の時間領域シンボルを多重化する端末数を４であると決定すれば、パイロット電力改善因子を４または６dBとして決定する。端末がパイロットが櫛形構成で伝送される周波数領域マッピング間隔または周波数領域マッピング密度または櫛形構成で同一の時間領域シンボルを多重化する端末数を６として決定する場合、パイロット電力改善因子を６または７.７８dBとして決定する。
【００８６】
実施中、パイロット電力改善因子の最大値は、パイロットが櫛形構成で伝送される周波数領域マッピング間隔または周波数領域マッピング密度または、櫛形構成で時間領域シンボルを多重化する端末数と正比例する。
【００８７】
ここで、パイロットが櫛形構成で伝送される周波数領域マッピング間隔または周波数領域マッピング密度または櫛形構成で時間領域シンボルを多重化する端末数は、ネットワーク側から高位層シグナリングにより端末のために設定するか、または、ネットワーク側と端末がプロトコル出約定される。
【００８８】
ここで、櫛形構成で時間領域シンボルを多重化する端末数は、パイロット多重化因子で示されることもできる。該パイロット多重化因子は、同一の時間領域シンボルにおいて周波数分割多重化を行うともに伝送される異なるパイロットシーケンスの数として定義される。
【００８９】
ステップ４０３において、端末は、前記パイロットの送信電力に従って該アップリンク共有チャネルのパイロットを送信する。
【００９０】
具体的に、端末は、ステップ４０２において決定されたアップリンク共有チャネルのパイロットの送信電力に従って該アップリンク共有チャネルのパイロットを送信する。
【００９１】
同様な発明思想に基づき、本発明の実施例において、図５に示すように、基地局側においてアップリンク共有チャネルのパイロットを伝送する方法は、以下のステップを備える。
【００９２】
ステップ５０１において、基地局は、端末がアップリンク共有チャネルで運ばれるデータを送信する際の送信電力を決定する。
【００９３】
ここで、アップリンク共有チャネルの伝送時間間隔は１ミリ秒より小さい。
【００９４】
ステップ５０２において、基地局は、端末のアップリンク共有チャネルで運ばれるデータの送信電力及び該端末のパイロット電力改善因子に基づき、該端末がアップリンク共有チャネルのパイロットを送信する際の送信電力を確定する。ここで、パイロット電力改善因子は、１つのリソースエレメント上のアップリンク共有チャネルのパイロットの送信電力が１個のリソースエレメント上のアップリンク共有チャネルで運ばれるデータの送信電力に対する倍数を示す。該倍数は１より大きいか等しく、パイロットは、櫛形構成でパイロットに占有された時間領域シンボルにおいて伝送される。
【００９５】
実施中、パイロットに占有された時間領域シンボル内のパイロットを伝送するリソースエレメント上のアップリンク共有チャネルのパイロットの送信電力の総和は、該アップリンク共有チャネルのデータの送信電力より大きくない。
【００９６】
実施中、端末のパイロット電力改善因子は、ネットワーク側から高位層シグナリングにより端末のために設定されるか，または、ネットワーク側と端末がプロトコルで約定されるか、または、パイロットが櫛形構成で伝送される周波数領域マッピング間隔または周波数領域マッピング密度または櫛形構成で同一の時間領域シンボルを多重化する端末数で決定される。
【００９７】
具体的に、高位層シグナリングにより１個のパイロット電力改善因子を設定する。または、高位層シグナリングにより複数のパイロット電力改善因子を設定する。ここで、パイロット電力改善因子それぞれが、前記パイロットが櫛形構成で伝送される周波数領域マッピング間隔または周波数領域マッピング密度または櫛形構成で同一の時間領域シンボルを多重化する端末数に対応する。
【００９８】
具体的に、端末のパイロット電力改善因子がネットワーク側と端末がプロトコルで約定される場合、１個のパイロット電力改善因子を約定することができる。または、パイロットが櫛形構成で伝送される周波数領域マッピング間隔または周波数領域マッピング密度または、櫛形構成で時間領域シンボルを多重化する端末数それぞれに対し、１個のパイロット電力改善因子を約定する。
【００９９】
実施中、複数のパイロット電力改善因子を有する場合、パイロット電力改善因子の最大値は、パイロットが櫛形構成で伝送される周波数領域マッピング間隔または周波数領域マッピング密度または櫛形構成で同一の時間領域シンボルを多重化する端末数と正比例する。
【０１００】
実施中、パイロットが櫛形構成で伝送される周波数領域マッピング間隔または周波数領域マッピング密度または櫛形構成で同一の時間領域シンボルを多重化する端末数は、ネットワーク側から高位層シグナリングにより端末のために設定されるか、または、ネットワーク側と端末がプロトコルで約定される。
【０１０１】
以下、具体的な実施例により、アップリンク共有チャネルのパイロット伝送の流れを説明する。
【０１０２】
該具体的な実施例において、周波数領域マッピング間隔または周波数領域マッピング密度または櫛形構成で同一の時間領域シンボルを多重化する端末数それぞれが２、３、４、６である場合の櫛形マッピング方式は、図６~図９で示される。ここで、１個の周波数領域基本単位におけるパイロットのマッピングの例を挙げ、，複数の周波数領域基本単位の場合、周波数領域基本単位それぞれにおけるマッピング方式は同様であり、１個の周波数領域基本単位を周波数領域上の連続１２個のサブキャリア年、他の周波数領域基本単位のサイズ及びパイロットマッピング方式はこれと類似する。
【０１０３】
該具体的な実施例において、アップリンク共有チャネルのパイロット電力の向上案は以下通りである。
【０１０４】
［第１］パイロット電力改善因子は、高位層シグナリングにより設定される。
【０１０５】
システム内のパイロットの周波数領域マッピング間隔または周波数領域マッピング密度または櫛形構成で同一の時間領域シンボルを多重化する端末数を４とし、また、１つの端末が１個の周波数領域基本単位において３個のＤＭＲＳ ＲＥを有すると事前に約定する。パイロットＳＣ−ＦＤＭＡシンボルの総電力の最大値がデータＳＣ−ＦＤＭＡシンボルの電力と同様であれば、単一のＳＣ−ＦＤＭＡ上のパイロット電力は、最大で６dBが向上される。パイロット電力改善因子nの集合を{０ dB，３ dB，４.７７dB，６dB}として定義し、即ち、４つの値が含まれ、即ちK=４である。２ビットの高位層シグナリングにより、４個のパイロット電力改善因子中の１個を端末に通知する必要がある。ここで、電力改善因子０は、電力向上なしに対応し、パイロット電力改善因子６は、電力の最大向上値に対応する。
【０１０６】
該具体的な実施例において、ＰＵＳＣＨデータ伝送のためのＲＥの電力をＥＤａｔａ＿ＲＥとして定義する。端末は、受信した高位層シグナリングにより通知されたパイロット電力改善因子nに基づき、ＤＭＲＳ ＲＥの伝送電力がＥＤＭＲＳ＿ＲＥ＝１０ｎ／１０・ＥＤａｔａ＿ＲＥであると算出される。
【０１０７】
勿論、パイロット電力改善因子は、ＤＭＲＳ ＲＥの送信電力がデータＲＥの送信電力に対する倍数として直接に定義されることもできる。例えば、パイロット電力改善因子nの集合を{１,２,３,４}として定義する。２ビット高位層シグナリングにより４個の電力改善因子中の１個を端末に通知する。ここで、１は、電力向上なしに対応し、４は、ＤＭＲＳ ＲＥの送信電力がデータＲＥの送信電力の４倍であることに対応する。端末は、受信した高位層シグナリングにより通知されたパイロット電力改善因子nに基づいて、ＤＭＲＳ ＲＥの伝送電力がＥＤＭＲＳ＿ＲＥ＝ｎ・ＥＤａｔａ＿ＲＥであると算出する。
【０１０８】
［第２］パイロット電力改善因子は事前に定義されたものである。
【０１０９】
システム内のパイロットの周波数領域マッピング間隔または周波数領域マッピング密度または櫛形構成で同一の時間領域シンボルを多重化する端末数を４とし、また、１つの端末が１個の周波数領域基本単位において３個のＤＭＲＳ ＲＥを有すると事前に約定する。パイロットＳＣ−ＦＤＭＡシンボルの総電力の最大値がデータＳＣ−ＦＤＭＡシンボルの電力と同様であれば、単一のＳＣ−ＦＤＭＡ上のパイロット電力は、最大で６dBが向上される。
【０１１０】
該具体的な実施例において、異なる周波数領域マッピング間隔それぞれに対応するパイロット電力改善因子を定義し、または、ＰＵＳＣＨデータ伝送のためのＲＥの電力をＥＤａｔａ＿ＲＥとして定義する。端末は、周波数領域マッピング間隔に対応する事前に定義されたパイロット電力改善因子nに基づき、ＤＭＲＳ ＲＥの伝送電力がＥＤＭＲＳ＿ＲＥ＝１０ｎ／１０・ＥＤａｔａ＿ＲＥであると算出される。
【０１１１】
または、すべてのパイロットの周波数領域マッピング間隔または周波数領域マッピング密度または櫛形構成で同一の時間領域シンボルを多重化する端末数のために、１個のパイロット電力改善因子を定義する。最小のパイロットの周波数領域マッピング間隔または周波数領域マッピング密度または櫛形構成で同一の時間領域シンボルを多重化する端末数が２である場合、パイロットＳＣ−ＦＤＭＡシンボルの総電力の最大値がデータ-FDMAシンボルの電力と同様であれば、単一のＳＣ−ＦＤＭＡ上のパイロットの電力は、最大で６dBが向上され、dBを超えない３パイロット電力改善因子nを定義すれば、ＤＭＲＳ ＲＥの伝送電力はＥＤＭＲＳ＿ＲＥ＝１０ｎ／１０・ＥＤａｔａ＿ＲＥである。
【０１１２】
パイロット電力改善因子は、ＤＭＲＳ ＲＥの送信電力がデータＲＥの送信電力に対する倍数として直接に定義されることもできる。例えば、パイロット電力改善因子nを定義して、これに基づき、ＤＭＲＳ ＲＥの伝送電力がＥＤＭＲＳ＿ＲＥ＝ｎ・ＥＤａｔａ＿ＲＥであると算出する。
【０１１３】
［第３］パイロット電力改善因子は、パイロットの周波数領域マッピング間隔または周波数領域マッピング密度またはパイロット多重化因子に基づき決定される。
【０１１４】
該具体的な実施例において、パイロット多重化因子は、櫛形構成で同一の時間領域シンボルを多重化する端末数である。
【０１１５】
システム内のパイロットの周波数領域マッピング間隔または周波数領域マッピング密度または櫛形構成で同一の時間領域シンボルを多重化する端末数をMとして事前に約定されると、１個の周波数領域基本単位に１２/M個のＤＭＲＳ ＲＥがある。単一のＳＣ−ＦＤＭＡ上のパイロット電力は、最大で１０ｌｏｇ１０ＭｄＢdBが向上される。最大向上可能電力に基づき、表２を作成する。表２は、パイロットの周波数領域マッピング間隔または周波数領域マッピング密度または櫛形構成で同一の時間領域シンボルを多重化する端末数がパイロット電力改善因子との間のマッピング関係を示す。
【０１１６】
【表２】
2019515602.tif 000004
【０１１７】
該具体的な実施例において、ＰＵＳＣＨデータ伝送のためのＲＥの電力をＥＤａｔａ＿ＲＥとして定義し、端末は、受信した高位層シグナリングにより通知された周波数領域マッピング間隔または周波数領域マッピング密度または櫛形構成で同一の時間領域シンボルを多重化する端末数に基づき、パイロット電力改善因子nを取得すれば、ＤＭＲＳ ＲＥの伝送電力をＥＤＭＲＳ＿ＲＥ＝１０ｎ／１０・ＥＤａｔａ＿ＲＥとする。
【０１１８】
勿論、パイロット電力改善因子は、ＤＭＲＳ ＲＥの送信電力がデータＲＥの送信電力に対する倍数として直接に定義されることもできる。表３は、パイロットの周波数領域マッピング間隔または周波数領域マッピング密度または櫛形構成で同一の時間領域シンボルを多重化する端末数がパイロット電力改善因子との間のマッピング関係を示す。ＤＭＲＳ ＲＥの伝送電力は、ＥＤＭＲＳ＿ＲＥ＝ｎ・ＥＤａｔａ＿ＲＥである。
【０１１９】
【表３】
2019515602.tif 000005
【０１２０】
同様な発明思想に基づき、本発明の実施例は端末をさらに提供する。該端末の具体的な実施は、方法実施例部分の関連記載を参照しればよいため、繰り返して説明しない。図１０に示すように、該端末は、
アップリンク共有チャネルで運ばれるデータの送信電力を送信する第１処理モジュール１００１と、
前記アップリンク共有チャネルで運ばれるデータの送信電力及び前記端末のパイロット電力改善因子に基づき、前記アップリンク共有チャネルのパイロットの送信電力を決定する第２処理モジュール１００２と、
前記パイロットの送信電力で前記アップリンク共有チャネルのパイロットを送信する送信モジュール１００３とを備える。
【０１２１】
ここで、前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【０１２２】
好ましくは、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【０１２３】
好ましくは、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【０１２４】
好ましくは、前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【０１２５】
好ましくは、前記端末のパイロット電力改善因子がネットワーク側と前記端末によりプロトコルで約定された場合、１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【０１２６】
好ましくは、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【０１２７】
好ましくは、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【０１２８】
好ましくは、前記アップリンク共有チャネルの伝送時間間隔（ＴＴＩ）は１ミリ秒より小さい。
【０１２９】
同様な発明思想に基づき、本発明の実施例に係る基地局，該基地局の具体的な実施は、方法実施例部分の関連記載を参照しればよいため、繰り返して説明しない。図１１に示すように、該基地局は、
端末がアップリンク共有チャネルで運ばれるデータを送信する際の送信電力を決定する第１処理モジュール１１０１と、
前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定する第２処理モジュール１１０２とを備える。
【０１３０】
ここで、前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【０１３１】
好ましくは、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【０１３２】
好ましくは、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【０１３３】
好ましくは、前記端末のパイロット電力改善因子がネットワーク側から高位層シグナリングにより前記端末に設定される場合、前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【０１３４】
好ましくは、前記端末のパイロット電力改善因子がネットワーク側と前記端末によりプロトコルで約定された場合、１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【０１３５】
好ましくは、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【０１３６】
好ましくは、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【０１３７】
好ましくは、前記アップリンク共有チャネルの伝送時間間隔（ＴＴＩ）は１ミリ秒より小さい。
【０１３８】
同様な発明思想に基づき、本発明に係る実施例は端末をされに提供する。該端末の実施は、方法実施例部分の関連記載を参照しればよいため、繰り返して説明しない。図１２に示すように、該端末は、プロセッサ１２０１と、メモリ１２０２と、送受信機１２０３とを備える。ここで、送受信機１２０３は、プロセッサ１２０１の制御によりデータを送受信する。メモリ１２０２に所定のプログラムが格納される。
【０１３９】
前記プロセッサ１２０１は、メモリ１２０２に格納されたプログラムを読み出して、前記プログラムに従って、アップリンク共有チャネルで運ばれるデータの送信電力を送信する。
【０１４０】
また、前記アップリンク共有チャネルで運ばれるデータの送信電力及び前記端末のパイロット電力改善因子に基づき、前記アップリンク共有チャネルのパイロットの送信電力を決定する。前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【０１４１】
また、送受信機を介して、１２０３前記パイロットの送信電力で前記アップリンク共有チャネルのパイロットを送信する。
【０１４２】
好ましくは、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【０１４３】
好ましくは、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【０１４４】
好ましくは、前記端末のパイロット電力改善因子がネットワーク側から高位層シグナリングにより前記端末に設定される場合、前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【０１４５】
好ましくは、前記端末のパイロット電力改善因子がネットワーク側と前記端末によりプロトコルで約定された場合、１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【０１４６】
好ましくは、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【０１４７】
好ましくは、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【０１４８】
好ましくは、前記アップリンク共有チャネルの伝送時間間隔（ＴＴＩ）は１ミリ秒より小さい。
【０１４９】
同様な発明思想に基づき、本発明に係る実施例は、基地局をさらに提供する。該基地局の具体的な実施は、方法実施例部分の関連記載を参照しればよいため、繰り返して説明しない。図１３に示すように、該基地局は、プロセッサ１３０１と、メモリ１３０２と、送受信機１３０３とを備える。ここで、前記送受信機１３０３は、プロセッサ１３０１の制御によりデータを送受信する。メモリ１３０２に所定のプログラムが格納される。
【０１５０】
前記プロセッサ１３０１は、メモリ１３０２に格納されたプログラムを読み出して、前記プログラムに従って、端末がアップリンク共有チャネルで運ばれるデータを送信する際の送信電力を決定する。
【０１５１】
また、前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定する。前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送される。
【０１５２】
好ましくは、パイロットに占有された前記時間領域シンボル内のパイロットを伝送するリソースエレメント上の、前記アップリンク共有チャネルのパイロットの送信電力の総和は、前記アップリンク共有チャネルのデータの送信電力より大きくない。
【０１５３】
好ましくは、前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定される。
【０１５４】
好ましくは、前記端末のパイロット電力改善因子がネットワーク側から高位層シグナリングにより前記端末に設定される場合、前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応する。
【０１５５】
好ましくは、前記端末のパイロット電力改善因子がネットワーク側と前記端末によりプロトコルで約定された場合、１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定する。
【０１５６】
好ましくは、前記パイロット電力改善因子の最大値は、前記パイロットが櫛形構成で伝送される周波数領域マッピング間隔または周波数領域マッピング密度または櫛形構成で前記時間領域シンボルを多重化する端末数と正比例する。
【０１５７】
好ましくは、前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定される。
【０１５８】
好ましくは、前記アップリンク共有チャネルの伝送時間間隔（ＴＴＩ）は１ミリ秒より小さい。
【０１５９】
図１２及び図１３において、プロセッサ、メモリ及び送受信機の間にバスで接続され、バスアーキテクチャは、いずれ数の相互接続するバス及びブリッジを備える。具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機は、複数の部品であることができ、即ちち、送信機及び受信機を備え、伝送媒体を介して他の装置と通信するユニットを提供する。プロセッサは、バスアーキテクチャ及び通常の処理を管理し、メモリは、プロセッサが動作する際に利用するデータを記憶することができる。
【０１６０】
上記技術案によれば、本発明の実施例において、端末は、アップリンク共有チャネルで運ばれるデータの送信電力及び前記端末のパイロット電力改善因子に基づき、アップリンク共有チャネルのパイロットの送信電力を決定し、ここで１つのリソースエレメント上の端末のパイロット電力改善因子アップリンク共有チャネルのパイロット送信電力の、１つのリソースエレメント上のアップリンク共有チャネルで運ばれるデータ送信電力に対する倍数を定義し、該倍数は１より大きいか等しく、こうして、周波数分割多重モードで同一リソース領域内で各短データ送信のパイロット系列を櫛形構成で送信する場合のどのようにパイロットの送信電力を決定するのかに、解決案を提供し、パイロットの送信電力を向上させ、パイロットの伝送密度を低下させることにより、チャネル推定の精度を向上させることができる。
【０１６１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１６２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１６３】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１６６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１６７】
本出願は、２０１６年５月１３日に中国特許局に提出し、出願番号が２０１６１０３１９７８５.８であり、発明名称が「アップリンク共有チャネルのパイロット伝送方法及び関連装置」との中国特許出願を基礎とする優先権を主張し、その開示の総てをここに取り込む。
【図１】
2019515602.tif 000006
【図２】
2019515602.tif 000007
【図３ａ】
2019515602.tif 000008
【図３ｂ】
2019515602.tif 000009
【図４】
2019515602.tif 000010
【図５】
2019515602.tif 000011
【図６】
2019515602.tif 000012
【図７】
2019515602.tif 000013
【図８】
2019515602.tif 000014
【図９】
2019515602.tif 000015
【図１０】
2019515602.tif 000016
【図１１】
2019515602.tif 000017
【図１２】
2019515602.tif 000018
【図１３】
2019515602.tif 000019
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
端末は、アップリンク共有チャネルで運ばれるデータの送信電力を送信するステップと、
前記端末は、前記アップリンク共有チャネルで運ばれるデータの送信電力及び前記端末のパイロット電力改善因子に基づき、前記アップリンク共有チャネルのパイロットの送信電力を決定するステップと、
前記端末は、前記パイロットの送信電力で前記アップリンク共有チャネルのパイロットを送信するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とするアップリンク共有チャネルのパイロット伝送方法。
【請求項２】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項１に記載のアップリンク共有チャネルのパイロット伝送方法。
【請求項３】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応し、
または、
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定し、
または、
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項２に記載のアップリンク共有チャネルのパイロット伝送方法。
【請求項４】
前記アップリンク共有チャネルの伝送時間間隔（ＴＴＩ）は１ミリ秒より小さいことを特徴とする請求項１ないし請求項３のいずれか１項に記載のアップリンク共有チャネルのパイロット伝送方法。
【請求項５】
基地局は、端末がアップリンク共有チャネルで運ばれるデータを送信する際の送信電力を決定するステップと、
前記基地局は、前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定するステップとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とするアップリンク共有チャネルのパイロット伝送方法。
【請求項６】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項５に記載のアップリンク共有チャネルのパイロット伝送方法。
【請求項７】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応し、
または、
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定し、
または、
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項６に記載のアップリンク共有チャネルのパイロット伝送方法。
【請求項８】
前記アップリンク共有チャネルの伝送時間間隔（ＴＴＩ）は１ミリ秒より小さいことを特徴とする請求項５ないし請求項７のいずれか１項に記載のアップリンク共有チャネルのパイロット伝送方法。
【請求項９】
アップリンク共有チャネルで運ばれるデータの送信電力を送信する第１処理モジュールと、
前記アップリンク共有チャネルで運ばれるデータの送信電力及び前記端末のパイロット電力改善因子に基づき、前記アップリンク共有チャネルのパイロットの送信電力を決定する第２処理モジュールと、
前記パイロットの送信電力で前記アップリンク共有チャネルのパイロットを送信する送信モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とする端末。
【請求項１０】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項９に記載の端末。
【請求項１１】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応し、
または、
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定し、
または、
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項１０に記載の端末。
【請求項１２】
前記アップリンク共有チャネルの伝送時間間隔（ＴＴＩ）は１ミリ秒より小さいことを特徴とする請求項９ないし請求項１１のいずれか１項に記載の端末。
【請求項１３】
端末がアップリンク共有チャネルで運ばれるデータを送信する際の送信電力を決定する第１処理モジュールと、
前記端末が前記アップリンク共有チャネルで運ばれるデータを送信する際の送信電力及び前記端末のパイロット電力改善因子により、前記端末が前記アップリンク共有チャネルのパイロットを送信する際の送信電力を決定する第２処理モジュールとを備え、
前記パイロット電力改善因子は、１つのリソースエレメント上の前記アップリンク共有チャネルのパイロットの送信電力が１つのリソースエレメント上の前記アップリンク共有チャネルで運ばれるデータの送信電力に対する倍数を示し、前記倍数は１より大きいか等しく、前記パイロットは、櫛形構成で、パイロットに占有された時間領域シンボルにおいて伝送されることを特徴とする基地局。
【請求項１４】
前記端末のパイロット電力改善因子は、ネットワーク側から高位層シグナリングにより前記端末に設定され、または、ネットワーク側と前記端末によりプロトコルで約定され、または、前記パイロットが櫛形構成で伝送される周波数領域マッピング間隔または周波数領域マッピング密度または櫛形構成で同一の時間領域シンボルを多重化する端末数に従って決定されることを特徴とする請求項１３に記載の基地局。
【請求項１５】
前記端末のパイロット電力改善因子がネットワーク側から高位層シグナリングにより前記端末に設定される場合、
前記高位層シグナリングにより１つのパイロット電力改善因子を設定するか、または、前記高位層シグナリングにより複数のパイロット電力改善因子を設定し、ここで、パイロット電力改善因子それぞれは、１つの前記パイロットが櫛形構成で伝送される周波数領域マッピング間隔または周波数領域マッピング密度または櫛形構成で前記時間領域シンボルを多重化する端末数に対応し、
または、
前記端末のパイロット電力改善因子がネットワーク側と前記端末によりプロトコルで約定された場合、
１つのパイロット電力改善因子を約定し、または、前記パイロットが櫛形構成で伝送される周波数領域マッピング間隔または周波数領域マッピング密度または櫛形構成で前記時間領域シンボルを多重化する端末数それぞれに対して１つのパイロット電力改善因子を約定し、
または、
前記パイロットが櫛形構成で伝送される周波数領域マッピング間隔または周波数領域マッピング密度または櫛形構成で前記時間領域シンボルを多重化する端末数は、ネットワーク側から高位層シグナリングにより前記端末に設定されるか、または、ネットワーク側により前記端末とともにプロトコルで約定されることを特徴とする請求項１４に記載の基地局。
【請求項１６】
前記アップリンク共有チャネルの伝送時間間隔（ＴＴＩ）は１ミリ秒より小さいことを特徴とする請求項１３ないし請求項１５のいずれか１項に記載の基地局。
【国際調査報告】
2019515602.tif 000020
2019515602.tif 000021
2019515602.tif 000022
2019515602.tif 000023